(57)【特許請求の範囲】
【請求項１】
反応槽内に隔膜を介して正・負の各電極が対向して配設され、当該各電極に直流電圧の反応電流を供給して前記反応槽内に流入する原水からアルカリ性水及び酸性水を生成する電解イオン水生成方法において、所定の電流値の検出電流を各電極間に供給している状態で、前記検出電流に対する前記反応槽の後段において生成されたアルカリ性水及び酸性水の各導電率を検出し、各導電率を比較演算して当該演算結果より前記原水について概略ｐHを推定し、前記推定結果に基づいて反応電流を調整してアルカリ水及び／又は酸性水を原水から生成することを特徴とする電解イオン水生成方法。
【請求項２】
反応槽内に隔膜を介して正・負の各電極が対向して配設され、当該各電極に直流電圧の反応電流を供給して前記反応槽内に流入する原水からアルカリ性水及び酸性水を生成する電解イオン水生成方法において、複数の異なる電流値の検出電流を各電極間に供給して、前記複数の検出電流に対する前記反応槽の後段において生成されたアルカリ性水又は酸性水の各導電率を検出し、前記検出されたアルカリ性水又は酸性水の各導電率から変化特性を演算し、当該変化特性と予め登録されたｐＨ変化特性関係データとから原水のｐＨ値を推定し、前記推定結果に基づいて反応電流を調整してアルカリ水及び／又は酸性水を原水から生成することを特徴とする電解イオン水生成方法。
【請求項３】
前記請求項２に記載の電解イオン水生成方法において、前記原水並びにアルカリ性水及び酸性水の各導電率を検出し、当該検出した各導電率から演算される各々の変化特性を比較対象とすることを特徴とする電解イオン水生成方法。
【請求項４】
前記請求項１ないし３のいずれかに記載の電解イオン水生成方法において、前記原水の概略ｐＨの推定結果又は原水のｐＨ値の推定値と原水、酸性水、アルカリ水の各誘電率とから生成されるアルカリ性水及び／又は酸性水のｐＨ値を類推し、この類推したアルカリ性水及び／又は酸性水のｐＨ値に基づいて前記電源制御手段から反応電流を調整制御して出力することを特徴とする電解イオン水生成方法。
【請求項５】
前記請求項１ないし４のいずれかに記載の電解イオン水生成方法において、前記反応電流を検出電流とすることを特徴とする電解イオン水生成方法。
【発明の詳細な説明】
【０００１】
【産業上の利用分野】
本発明は電気分解により電解イオン水を生成する電解イオン水生成器に関し、特に原水のペーハー特性に基づいて電解イオン水を生成する電解イオン水生成器に関する。
【０００２】
【従来の技術】
従来、この種の電解イオン水生成器として特開平６−６３５５０号公報に開示されるアルカリイオン水生成器があり、これを図９及び図１０に示す。同図において従来のアルカリイオン水生成器は、浄水流量と電解電流の２つをデータとして与え、それぞれ水に関するデータ及び反応槽７００の電圧に関するデータとし、これら２つのデータを内部に蓄積してあるｐＨ判定基準と比較してｐＨ表示するものである。具体的には、原水が通る水路８１０、原水をろ過する浄水部８００、浄水が通る水路８２０、浄水をイオン化してアルカリ性水及び酸性水をつくる反応槽７００、酸性水が通る水路７１１、アルカリ性水が通る水路７２１等を備えている。また、、水路８２０には、流量センサ９００が設けてある。この流量センサ９００は羽根車９１０の回転によって発生する電圧を信号としてとらえる流量電圧変換器９２０を有する。流量電圧変換器９２０は、ｐＨチェックボタン９３０を介して後述の計数・比較部５００に接続され、浄水流量のデータを計数・比較部５００に送る。一方、反応槽７００に電圧を加えるため図示のような回路が構成される。すなわち、電源電圧がトランス６１０によって降圧され、整流スタック６２０、平滑コンデンサ６４０で整流された直流の電解電流が反応槽７００に流れる。この電解電流はｐＨ調節ダイアル６３０によって調整することができる。さらに、この電解電流のデータが上記チェックボタン９３０を介して計数・比較部５００に送られる。上記両データを送る際、ｐＨチェックボタン９３０は連動して動作する。
【０００３】
５３０はデータ蓄積部であり、ｐＨ判定基準が蓄積してある。例えば、浄水流量と電解電流は図のような関係があるので、図１０（Ｂ）のように段差に変換したものをデータとして蓄積してある。計数・比較演算部５００は、浄水流量のデータと電解電流のデータを取り込み、ｐＨ判定基準に基づいてｐＨ値を求める。この計数・比較部５００により求められたｐＨ値は表示部５２０により表示される。表部５２０は、デジタル数字又はＬＥＤの点灯等によって表示する。
【０００４】
原水が水路８１０を通って浄水部８００でろ過され、このろ過された浄水が水路８２０を通り流量センサ９００の羽根車９１０を回転させると共に、二分されて反応槽７００に送られ、酸性水が水路７１１、アルカリ性水が水路７２１から吐出する。ここで、ｐＨチェックボタン９３０を押すと、浄水流量のデータと反応槽７００の電解電流のデータが計数・比較部５００で処理され、データ蓄積部５３０のデータをやりとり比較し、一致するものをｐＨ値として表示部５２０に表示する。ｐＨ値が希望する値とずれているときには、ｐＨ調節ダイアル６３０によって調整することができる。以上のように構成されるので水の吐出量や原水の水質の影響でｐＨ値が変動しないという効果がある。
【０００５】
また、前記公開公報に開示される従来技術としては、前記反応槽７００への浄水の流量と電解電流とで生成されるアルカリ性水のｐＨ値を類推して制御するものの他に、反応槽７００への浄水流量を一定に制御してこの一定流量の浄水の導電率と電解電流とで生成されるアルカリ性水のｐＨ値を類推して制御する技術が開示されている。
【０００６】
【発明が解決しようとする課題】
従来の電解イオン水生成器は以上のように構成されていたことから、反応槽７００に流入する浄水の流量を検出する流量計又は一定の流量に制御するために定流量機構を必要とすることから、装置自体が複雑化するという課題を有する。特に、反応槽７００に供給される原水のｐＨ値及び含有成分が区区であることから、正・負の各電極７１０、７２０に印加される直流電圧の電解電流を一定に制御しても生成するアルカリ性水及び酸性水のｐＨ値を適正に制御することができないという課題を有する。さらに、反応槽７００に供給される浄水の導電率に基づいてｐＨ値を制御しようとすると、浄水中に含有される遊離炭酸の多い・少ないにより生成される電解イオン水のｐＨ値が大きく変動することから、電解電流を所定値に制御したとしても正確なｐＨ値の調整ができない。
【０００７】
また、電解イオン水のｐＨ値を検出する装置としてはペーハーメータが存在するが、このペーハーメータは被測定側の浄水中に浸したガラス電極と基準電極としてのカロメル電極との間で、その電位差を求めてｐＨ値を検出するようにしている。このカロメル電極にはＫＣｌ溶液が使用されていることから、このＫＣｌ溶液が浄水中に漏れ出すことがあり、生成した電解イオン水を飲料水をして使用できなくなるという課題を有する。さらに、このペーハーメータは、検出の応答速度が遅く、被測定側の浄水が流水である場合には現実に使用できないという課題を有する。
【０００８】
本発明は前記課題を解消するためになされたもので、原水のペーハー特性を予め類推して正確なｐＨ値に電解イオン水を調整して生成できる電解イオン水生成器を提案することを目的とする。
【０００９】
【課題を解決するための手段】
本発明に係る電解イオン水生成器は、反応槽内に隔膜を介して正・負の各電極が対向して配設され、当該各電極に直流電圧の反応電流を供給して前記反応槽内に流入する原水からアルカリ性水及び酸性水を生成する電解イオン水生成方法において、所定の電流値の検出電流を各電極間に供給している状態で、前記検出電流に対する前記反応槽の後段において生成されたアルカリ性水及び酸性水の各導電率を検出し、各導電率を比較演算して当該演算結果より前記原水について概略ｐHを推定し、前記推定結果に基づいて反応電流を調整してアルカリ水及び／又は酸性水を原水から生成するものである。このように本発明においては、所定の電流値の検出電流を各電極間に供給している状態で生成されるアルカリ性水及び酸性水の各導電率を検出し、この検出した各導電率を比較することにより、原水の概略ｐＨを判断できることとなり、この推定結果に基づいて反応電流を調整し、アルカリ性水及び酸性水をほぼ正確なｐＨ値に調整して生成できる。
【００１０】
本発明に係る電解イオン水生成器は、反応槽内に隔膜を介して正・負の各電極が対向して配設され、当該各電極に直流電圧の反応電流を供給して前記反応槽内に流入する原水からアルカリ性水及び酸性水を生成する電解イオン水生成方法において、複数の異なる電流値の検出電流を各電極間に供給して、前記複数の検出電流に対する前記反応槽の後段において生成されたアルカリ性水又は酸性水の各導電率を検出し、前記検出されたアルカリ性水又は酸性水の各導電率から変化特性を演算し、当該変化特性と予め登録されたｐＨ変化特性関係データとから原水のｐＨ値を推定し、前記推定結果に基づいて反応電流を調整してアルカリ水及び／又は酸性水を原水から生成するものである。このように本発明においては、複数の異なる検出電流を各電極間に供給している状態で生成されるアルカリ性又は酸性水の各導電率を検出し、この各導電率から求められる変化特性を予め登録されたｐＨ変化特性関係データと比較演算し、この演算結果に基づいて原水のｐＨ値を推定するようにしているので、原水のｐＨ値をより確実且つ正確に検出できることとなり、この検出された原水のｐＨ値に基づいてアルカリ性水及び酸性水のｐＨ値を正確に調整して生成できる。
【００１１】
本発明に係る電解イオン水生成方法は必要に応じて、前記原水並びにアルカリ性水及び酸性水の各導電率を検出し、当該検出した各導電率から演算される各々の変化特性を比較対象とするものである。本発明に係る電解イオン水生成方法は必要に応じて、前記原水の概略ｐＨの推定結果又は原水のｐＨ値の推定値と原水、酸性水、アルカリ水の各誘電率とから生成されるアルカリ性水及び／又は酸性水のｐＨ値を類推し、この類推したアルカリ性水及び／又は酸性水のｐＨ値に基づいて前記電源制御手段から反応電流を調整制御して出力するものである。
【００１２】
本発明に係る電解イオン水生成器は必要に応じて、反応電流を検出電流とするものである。
【００１３】
【発明の実施の形態】
（本発明の第１の実施の形態）
以下、本発明の第１の実施の形態を図１に基づいて説明する。この図１は本実施の形態に係る電解イオン水生成器の全体概略構成図を示す。
【００１４】
同図において本実施例に係る電解イオン水生成器は、所定周期の検出用パルスを生成する発振回路１と、この検出用パルスに基づいて反応槽７に供給される浄水から生成されるアルカリ性水・酸性水の各導電率を検出する導電率検出部２と、各種ｐＨ値の原水から生成されたアルカリ性水・酸性水の各導電率の比較データを各種ｐＨの原水に対応させて格納する導電率比較データメモリ３１と、前記検出された各導電率から浄水（原水）のｐＨ特性の概略を推定する原水ｐＨ推定部３０と、この原水のｐＨ特性の概略に基づいて電源部６０で変換された直流電流を所定の電圧値に制御して電解電流を反応槽７の正・負の各電極７３、７４間へ供給する電源制御部６とを備える構成である。
【００１５】
前記導電率検出部２は、反応槽７の下流側における酸性水の導電率を検出する酸性水導電率検出センサ２２と、反応槽７の下流側におけるアルカリ性水の導電率を検出するアルカリ性水導電率検出センサ２３とを備える構成である。次に、前記構成に基づく本実施形態に係る電解イオン水生成器の動作について説明する。
【００１６】
まず、水道水がフィルタ７０でろ過されて浄水として反応槽７内に供給され、この反応槽７において電源制御部６から所定の反応電流が印加されて前記浄水（原水）から酸性水及びアルカリ性水を生成することとなる。この生成された酸性水の導電率を酸性水導電率検出センサ２２が検出すると共に、アルカリ性水の導電率をアルカリ性水電動率検出センサ２３が検出し、前記酸性水導電率とアルカリ性水導電率とが導電率検出部２を介して原水ｐＨ推定部３０に出力される。この原水ｐＨ推定部３０は前記検出された酸性水導電率とアルカリ性水導電率とを比較し、この比較演算結果が予め登録された導電率比較データメモリ３１に格納された複数の導電率の比較データのいづれかに一致するかにより、原水の概略ｐＨを推定する。この判断結果に基づいて原水ｐＨ推定部３０は電源制御部６に対して反応電流の値を調整するように指令し、この調整された反応電流が正負の各電極７３、７４に印加される。このようにして浄水（原水）の概略ｐＨを考慮した反応電流により、目的とするｐＨ値のアルカリ性水、酸性水をより正確に生成することができる。
【００１７】
（本発明の第２の実施の形態）
以下、本発明の第２の実施形態を図２に基づいて説明する。この図２は本実施形態に係る電解イオン水生成器の全体概略構成図を示す。
【００１８】
同図において本実施形態に係る電解イオン水生成器は、前記図１に記載の実施形態と同様に発振回路１、導電率検出部２、導電率比較データメモリ３１、原水ｐＨ推定部３０及び電源制御部６を備え、この構成に加え、前記原水ｐＨ推定部３０で推定された浄水（原水）の概略ｐＨに基づいてこの浄水（原水）から生成されるアルカリ性水又は酸性水のｐＨ値を演算し、この演算されたアルカリ性水又は酸性水のｐＨ値により前記電源制御部６で制御出力される反応電流を調整するｐＨ演算制御部４を備える構成である。
【００１９】
また、前記導電率検出部２は、酸性水導電率検出センサ２２及びアルカリ性水導電率検出センサ２３と共に、反応槽７の上流側に配設され、フィルタ７０を介して供給される浄水（原水）の導電率を検出する原水導電率検出センサ２１を備える構成である。
【００２０】
次に、前記構成に基づく本実施形態に係る電解イオン水生成器の動作については、前記図１に記載の実施形態と同様に電源制御部６により制御された反応電流が反応槽７の正負の各電極７３、７４に印加されて浄水（原水）から酸性水及びアルカリ性水を生成し、この生成された酸性水及びアルカリ性水の各導電率を酸性水及びアルカリ性水の各導電率検出センサ２２、２３が検出して導電率検出部２を介して原水ｐＨ推定部３０へ出力する。この原水ｐＨ推定部３０においても同様に、導電率比較データメモリ３１に格納された各種ｐＨ値の浄水（原水）に対応する導電率比較データから原水の概略ｐＨを推定する。
【００２１】
この原水ｐＨ推定部３０で推定された概略ｐＨと共に、前記導電率検出部２を介して酸性水及びアルカリ性水の各導電率検出センサ２２、２３で検出された酸性水及びアルカリ性水の各導電率がｐＨ演算制御部４へ出力される。さらに、前記原水導電率検出センサ２１で検出された原水導電率が導電率検出部２を介してｐＨ演算制御部４へ出力される。
【００２２】
前記ｐＨ演算制御部４は前記推定された原水の概略ｐＨと原水、酸性水、アルカリ性水の各導電率とから、前記浄水（原水）から生成される酸性水及びアルカリ性水の各ｐＨ値を演算して正確に類推することができる。この正確に類推された酸性水及びアルカリ性水の各ｐＨ値に基づいてｐＨ演算制御部４は電源制御部６に対して反応電流の値を調整するように指令し、目的とするｐＨ値のアルカリ性水、酸性水をより正確に生成することができる。
【００２３】
（本発明の第３の形態））
以下、本発明の第３の実施の形態を図３に基づいて説明する。この図３は本実施の形態に係る電解イオン水生成器の全体概略構成図を示す。
【００２４】
同図において本実施形態に係る電解イオン水生成器は、前記図２に記載の実施形態と同様に発振回路１、導電率検出部２、導電率比較データメモリ３１、原水ｐＨ推定部３０、ｐＨ演算制御部４及び電源制御部６を備え、この構成に加え、各種ｐＨ値の原水に対応するｐＨ特性を示す複数のｐＨ変化特性関係データを格納するｐＨ変化特性関係データメモリ３２を備える機構である。前記導電率検出部２は、反応槽７の下流側における酸性水の導電率を検出する酸性水導電率検出センサ２２と、反応槽７の下流側におけるアルカリ性水の導電率を検出するアルカリ性水導電率検出センサ２３と、反応槽７の上流側に配設され、フィルタ７０を介して供給される浄水（原水）の導電率を検出する原水導電率検出センサ２１とを備える構成である。
【００２５】
このｐＨ変化特性関係データメモリ３２は、ｐＨ値の異なる複数の浄水（原水）に前記第１及び第２の検出電流Ｉ1、Ｉ2を印加した場合における各導電率から求められる複数のｐＨ変化特性関係データを各ｐＨ値毎に対応付けて格納する構成である。この各ｐＨ値は、例えばｐＨ５ないしｐＨ９の間を０．１毎に分割して４０種類とすることもできる。前記原水ｐＨ推定部３０は、図２に記載の実施形態と同様に導電率比較データメモリ３１の導電率比較データに基づいて浄水（原水）の概略ｐＨを簡略検出モードとして推定すると共に、前記ｐＨ変化特性関係データメモリ３２のｐＨ変化特性関係データに基づいて浄水（原水）の具体的なｐＨ値を詳細検出モードで推定する構成である。
【００２６】
前記原水ｐＨ推定部３０は、簡略検出モードの場合には、前記第１の検出電流Ｉ1を正・負の各電極７３、７４に供給した状態で前記酸性水及びアルカリ性水の各導電率検出センサ２２、２３により検出されたアルカリ性側及び酸性側の各第１の導電率ｖ11、ｖ12が入力され、このアルカリ性側の第１の導電率ｖ11に補正値αを乗算して補正導電率α・ｖ11を求め、この補正導電率α・ｖ11及び前記酸性側の第１の導電率ｖ12から反応槽７に供給される浄水のｐＨ特性を演算する。この同じ値の第１の検出電流Ｉ１（又は第２の検出電流Ｉ２）を印加した場合における導電率の変化量がｐＨ値の変化量に比べてアルカリ性水の導電率の変化量が酸性水の導電率の変化量より大きく変化する傾向にあるので、その点を考慮していずれかを補正すれば一致することとなる。
【００２７】
この一致させる際の補正に用いられる補正値を「α」とすると、この補正値αは、浄水（原水）の導電率に対するアルカリ性水及び酸性水の各導電率の各増加分を求め、この各増加分の相互の比率により演算することができる。例えば、図３に浄水（原水）がｐＨ７．２の場合における導電率１３６［μｖ／ｃｍ］であり、この浄水（原水）により生成されるアルカリ性水がｐＨ１０．３及び導電率１８５［μｖ／ｃｍ］、及び酸性水がｐＨ３．７及び導電率１７０［μｖ／ｃｍ］である。同図において浄水（原水）に対する各導電率の増加分はアルカリ性水が４９［μｖ／ｃｍ］及び酸性水が３４［μｖ／ｃｍ］であり、この各導電率の増加分の相互の比率は約０．７である。即ち、補正値αは約０．７とすることができる。
【００２８】
また、前記原水ｐＨ推定部３０は、詳細検出モードの場合には、前記簡略検出モードで供給される第１の検出電流Ｉ1の他に第２の検出電流Ｉ2を正・負の各電極７３、７４に供給した状態で前記酸性水及びアルカリ性水の各導電率検出センサ２２、２３により検出されたアルカリ性側及び酸性側の各第２の導電率ｖ21、ｖ22が入力され、前記アルカリ性側の第１及び第２の各導電率ｖ11、ｖ12からｐＨ変化特性φ1を演算し、このｐＨ変化特性φ1がｐＨ変化特性関係データメモリ３２に記憶される複数のｐＨ変化特性関係データのいずれかに該当するかを検出し、この検出結果から浄水（原水）のｐＨ値を推定する構成である。また、前記アルカリ性側の第１及び第２の各導電率ｖ11、ｖ12によりｐＨ変化特性φ1を求める構成としたが、前記酸性側の第１及び第２の各導電率ｖ21、ｖ22によりｐＨ変化特性φ2を演算し、このｐＨ変化特性φ2から浄水（原水）のｐＨ値を推定する構成とすることもできる。この場合にはアルカリ性水導電率検出センサ２３を設ける必要がなく、前記酸性水導電率検出センサ２２のみで導電率検出部２を構成することができることとなる。
【００２９】
次に、前記構成に基づく本実施の形態に係る電解イオン水生成器の動作について図４ないし図８を参照して説明する。この図４はアルカリ性水及び酸性水の導電率と印加電流との特性図、図５はｐＨ７．２の原水における水質分析データ、図６は図３に記載の電解イオン生成器の概略動作フローチャート、図７は図６における簡略検出モードの詳細動作フローチャート、図８は図６における詳細検出モードの詳細動作フローチャートを示す。以下、この導電率から原水及び酸性水・アルカリ性水のｐＨ値を推定する動作を具体的に説明する。
【００３０】
まず、電源が投入されると検出制御部８が原水のｐＨ値を検出するモードか否かを判断する（ステップ１）。この判断においてｐＨ値の検出モードと判断された場合には、簡略検出モードを実行する（ステップ２）。この簡略検出モードでは、検出制御部８の制御により電源制御部６が、例えば所定の反応電流より低い値の第１の検出電流Ｉ1を正・負の各電極７３、７４間に供給する（ステップ２１）。
この第１の検出電流Ｉ1を供給している状態で、導電率検出部２の酸性側検出センサ２２及びアルカリ性側検出センサ２３でアルカリ性側及び酸性側の各第１の導電率ｖ11、ｖ12を検出する（ステップ２２）。この検出された第１の導電率ｖ11、ｖ12は原水ｐＨ推定部３０へ出力され、この原水ｐＨ推定部３０は予め求められている補正値αをアルカリ性側の第１の導電率ｖ11に乗算して補正導電率α・ｖ11を演算する（ステップ２３）。この演算された補正導電率α・ｖ11と前記検出された酸性側の第１の導電率ｖ12が等しいか否かを原水ｐＨ推定部３０が判断する（ステップ２４）。この判断において等しいと判断された場合には、反応槽７に供給される浄水（原水）をｐＨ７と判断する（ステップ２５）。
【００３１】
また、前記ステップ２４で等しくないと判断された場合には、前記補正導電率α・ｖ11が酸性側の第１の導電率ｖ12より大きいか否かを判断する（ステップ２６）。この補正導電率α・ｖ11が大きいと判断された場合には、反応槽７に供給される浄水（原水）がｐＨ７以上、即ちアルカリ性を有すると判断する。この補正導電率α・ｖ11が小さいと判断された場合には、浄水（原水）がｐＨ７以下、即ち酸性を有すると判断できることとなる。
【００３２】
さらに、前記ステップ２の簡略検出モードが完了すると詳細検出モードへ移行するか否かが判断され（ステップ３）、この詳細検出モードに移行する場合には検出制御部８の制御により前記電源制御部６が前記所定の反応電流より低く、第１の検出電流Ｉ1より高い電流値の第２の検出電流Ｉ2を正・負の各電極７３、７４に供給する（ステップ４１）。
この第２の検出電流Ｉ2を供給している状態で、導電率検出部２の酸性側検出センサ２２及びアルカリ性側検出センサ２３で酸性側及びアルカリ性側の各第２の導電率ｖ21、ｖ22を検出する（ステップ４２）。この検出されたアルカリ性側の第２の導電率ｖ21と前記アルカリ性側の第１の導電率ｖ11とからアルカリ性側のｐＨ変化特性φ1を原水ｐＨ推定部３０が演算する（ステップ４３）。このｐＨ変化特性φ1は、（Ｉ2−Ｉ1）／（ｖ21−ｖ11）として演算することができる。また、前記原水ｐＨ推定部３０は、アルカリ性側のｐＨ変化特性φ1に代えて、又はと共に酸性側のｐＨ変化特性φ2を演算することもできる。
【００３３】
前記原水ｐＨ推定部３０は、演算されたｐＨ変化特性φ1と前記ｐＨ変化特性関係データメモリ３２に格納された複数のｐＨ変化特性関係データとを比較して一致するｐＨ変化特性関係データを検出する（ステップ４４）。さらに、ｐＨ演算制御部４は、この検出された一致するｐＨ変化特性関係データに対応付けられてｐＨ変化特性関係データメモリ３２に格納されたｐＨ値を読出し、このｐＨ値を原水のｐＨ値と推定する（ステップ４５）。
【００３４】
また、前記ステップ３において詳細検出モードに移行しないと判断された場合には、前記ステップ２５、２７、２８により判断された浄水（原水）の性質、即ち中性、アルカリ性、酸性のいずれかのデータを原水ｐＨ推定部３０からｐＨ演算制御部４に出力され、このｐＨ演算制御部４で酸性水・アルカリ性水のｐＨ値が演算される。この演算された酸性水・アルカリ性水のｐＨ値に基づいてｐＨ演算制御部４が電源制御部６を制御し、この制御により電源制御部６が正・負の各電極７３、７４間に所定の電流値に補正した反応電流を供給する（ステップ５）。
【００３５】
さらに、前記ステップ４５において原水のｐＨ値が推定された場合には、この推定された原水のｐＨ値が原水ｐＨ推定部３０からｐＨ演算制御部４に出力され、このｐＨ演算制御部４で酸性水・アルカリ性水のｐＨ値が演算される。この演算された酸性水・アルカリ性水のｐＨ値に基づいてｐＨ演算制御部４が電源制御部６を制御し、この制御により電源制御部６が反応電流を補正して正・負の各電極７３、７４間に供給する（ステップ６）。
【００３６】
前記ステップ５又はステップ６により電源制御部６から補正された反応電流が正・負の各電極７３、７４間に供給されると電解イオン水生成モードに移行して、予め目標とするｐＨ値に適合するアルカリ性水及び酸性水を生成できることとなる（ステップ７）。
なお、前記実施の形態において詳細検出モードを実行する際に二つの検出電流でアルカリ性水の導伝率を求め、この導伝率からｐＨ変化特性を演算して原水のｐＨ値を類推する構成としたが、二つの検出電流でアルカリ性水及び酸性水の各導電率を各々求めこれらの各導電率からアルカリ性側及び酸性側の各ｐＨ変化特性を演算し、各ｐＨ変化特性から原水のｐＨ値を類推する構成とすることもできる。さらに、前記二つの検出電流の他に３つ以上の検出電流を用いて各導電率を検出する構成とすることもできる。これらの場合には、より高精度に原水のｐＨ値を類推できることとなる。
【００３７】
さらに具体的に説明すると、反応前の水の導電率を原水導電率検出センサ２１により検出し、反応電流供給後のアルカリ性水及び／又は酸性水の導電率をアルカリ性水及び／又は酸性水の導電率検出センサ２２、２３で検出することにより、反応電流供給前後の導電率差を求め、生成されるアルカリ水又は酸性水のｐＨ値を推測する。
【００３８】
一般的に反応前後の導電率変化量は、ｐＨ変化量と相関があり、特に原水のｐＨ値が「７」付近においては、通常の水道水であればほぼ正確に導電率からｐＨを類推することが出来る。これは反応前後で導電率の変化に寄与するイオン全体量に変化がなく、また水道水の不純物の成分がほぼ推定されているからである。しかしながら、原水のｐＨが「７」からずれている場合、導電率の増加とｐＨの関係は、大きく変化し、類推が困難になるが本発明の場合、上述のように原水ｐＨ推定部３０により原水のｐＨを推測しているので、原水のｐｈ推定値をデータとしてとり込め、生成されるアルカリ性水や酸性水のｐＨ値をより正確に類推することが出来る。つまり、本実施例の場合アルカリ性水側の導電率がアルカリ性水導電率検出センサ２３に、原水の導電率が原水導電率検出センサ２１にそれぞれとり込まれ、アルカリ性水側に導電率の変化とｐＨ−変化特性関係データ部の情報により原水のｐＨを推定し、又、これらの各導電率検出センサ２１、２２から反応前後の原水側の導電率とアルカリ水側の導電率の変化量が求められ、これらのデータからｐＨ演算制御部４により、より正確なｐＨを類推している。
【００３９】
また、第３の実施の形態の場合、アルカリ水側と酸性水側の両方の各導電率を酸性水・アルカリ性水の各導電率検出センサ２２、２３により検出すると共に、原水側の導電率を原水導電率検出センサ２１により検出する。この酸性水・アルカリ性水の各導電率検出センサ２２、２３の検出データが原水ｐＨ推定部３０に入力され、この原水ｐＨ推定部３０は入力された検出データを導電率比較データメモリ３１の導電率比較データと比較演算して原水ｐＨを推定し、又これらの各導電率検出センサ２１、２２、２３により求められた反応前後の原水側の導電率とアルカリ性水・酸性水の各導電率の変化量によりさらに正確なｐＨを類推している。
【００４０】
いづれの実施例においても類推されたアルカリ性水又は酸性水のｐＨは本体の一部に表示させて使用者の目安に利用することが可能であり、又この類推されたｐＨから所定のｐＨ値が得られるように電源制御部６を制御することも可能である。
なお、上記各実施例においては検出電流として反応電流とは別個の電流を供給しているが、検出電流値と反応電流値は必ずしも異ならせる必要はなく、反応電流をそのまま検出電流として使用しても良い。
【００４１】
また、原水導電率検出センサ２１は特に必須ではなく、後段の酸性水・アルカリ性水の各導電率検出センサ２２、２３を反応電流供給前に作動させることで代用することも可能である。
【００４２】
【発明の効果】
以上のように本発明においては、反応電流と異なる電流値の検出電流を各電極間に供給している状態で生成されるアルカリ性水及び酸性水の各導電率を検出し、この検出した各導電率のいずれを補正値により補正し、この補正された一方の導電率と補正されない他方の導電率との一致及び大小により原水のｐＨ特性を判断するようにしているので、原水のｐＨ特性の略略を判断できることとなり、この判断結果に基づいてアルカリ性水及び酸性水を正確なｐＨ値に調整して生成できるという効果を奏する。また、本発明においては、反応電流より十分高い又は低い二つの異なる検出電流を各電極間に供給している状態で生成されるアルカリ性水又は酸性水の各導電率を検出し、この各導電率から求められるｐＨ変化特性を予め登録された複数のｐＨ変化特性関係データのうちのいずれかに該当するかを判断し、この該当したｐＨ変化特性関係データに基づいて原水のｐＨ値を類推するようにしているので、この予め登録された複数のｐＨ変化特性関係データの範囲内で原水のｐＨ値を確実に検出できることとなり、この検出された原水のｐＨ値に基づいてアルカリ性水及び酸性水のｐＨ値を正確に調整して生成できるという効果を有する。
【図面の簡単な説明】
【図１】本発明の第１の実施の形態に係る電解イオン水生成器の全体概略構成図である。
【図２】本発明の第２の実施の形態に係る電解イオン水生成器の全体概略構成図である。
【図３】本発明の第３の実施の形態に係る電解イオン水生成器の全体概略構成図である。
【図４】本発明の第３の実施の形態に係る電解イオン水生成器のアルカリ性水及び酸性水の導電率と印加電流との特性図である。
【図５】本発明の第３の実施の形態に係る電解イオン水生成器のｐＨ７．２の原水における水質分析データである。
【図６】本発明の第３の実施の形態に係る電解イオン水生成器の概略動作フローチャートである。
【図７】図６における簡略検出モードの詳細動作フローチャートである。
【図８】図６における詳細検出モードの詳細動作フローチャートである。
【図９】従来の電解イオン水生成器の概略構成図である。
【図１０】従来の電解イオン水生成器の動作特性図である。
【符号の説明】
１  発振回路
２  導電率検出部
４  ｐＨ演算制御部
６  電源制御部
７  反応槽
８  検出制御部
２１  原水導電率検出センサ
２２  酸性水導電率検出センサ
２３  アルカリ性水導電率検出センサ
３１  導電率比較データメモリ
３２  ｐＨ変化特性関係データメモリ
６０  電源部
７０  フィルタ
７３、７４  電極
【図１】
0003638164.tif 000002
【図２】
0003638164.tif 000003
【図３】
0003638164.tif 000004
【図４】
0003638164.tif 000005
【図５】
0003638164.tif 000006
【図６】
0003638164.tif 000007
【図７】
0003638164.tif 000008
【図８】
0003638164.tif 000009
【図９】
0003638164.tif 000010
【図１０】
0003638164.tif 000011